(57)【要約】  本発明は、移動通信ネットワークを制御する方法を提供し、当該方法は、アップリンク制御エンティティを備え、ユーザ機器デバイスによるデータ送信に従って、移動通信ネットワーク内の複数の受信ポイントにより送信される受信品質測定報告に応答して、受信品質測定報告はデータ送信の受信に対応し、複数の受信ポイントの各々が、ユーザ機器デバイスからの送信に関して、次の測定報告及びペイロード報告のうちの少なくとも１つに関する、受信品質測定報告に依存する参加動作を示すべく構成される移動通信ネットワーク内に複数の受信ポイントを構成する。
2019502289.tif 000002
【特許請求の範囲】
【請求項１】
移動通信ネットワークを制御する方法であって、当該方法は、アップリンク制御エンティティを備え、ユーザ機器デバイスによるデータ送信に従って、前記移動通信ネットワーク内の複数の受信ポイントにより送信される受信品質測定報告に応答して、前記受信品質測定報告は前記データ送信の受信に対応し、前記複数の受信ポイントの各々が、前記ユーザ機器デバイスからの送信に関して、次の測定報告及びペイロード報告のうちの少なくとも１つに関する、前記受信品質測定報告に依存する参加動作を示すべく構成されるように前記移動通信ネットワーク内に前記複数の受信ポイントを構成する、
方法。
【請求項２】
前記測定報告の参加動作は、条件付きの報告及び無条件の報告のうちの１つであり、前記ペイロード報告の参加動作は、データを転送しない、又は格納しない、明示的要求なくデータを格納するがデータを転送しない、条件付きデータ転送、及びデータ転送のうちの１つである、
請求項１に記載の方法。
【請求項３】
品質測定報告の条件付き送信の参加動作の構成は、受信品質測定のために少なくとも１つの閾値に基づく少なくとも１つのコンディションを含む、
請求項２に記載の方法。
【請求項４】
条件付きのデータ転送の参加動作の構成は、受信品質測定のための閾値及び前記ユーザ機器デバイスから受信されたデータを復号する試みの結果を示す復号結果からの少なくとも１つを示す少なくとも１つのコンディションを含む、
請求項２に記載の方法。
【請求項５】
前記受信品質測定報告に応答して、前記移動通信ネットワーク内の個別の受信ポイントは、受信品質測定報告だけを送信するように構成される、
請求項１に記載の方法。
【請求項６】
１又は複数の選択された受信ポイントは、ユーザ機器デバイスから受信されたデータをバッファリングし、前記アップリンク制御エンティティからのコマンドを受け取り次第、バッファデータだけを転送する、
請求項１又は請求項５に記載の方法。
【請求項７】
前記複数の受信ポイントの１又は複数は、ユーザ機器デバイスから受信されたデータを復号しないように構成される、
請求項１から６のいずれか一項に記載の方法。
【請求項８】
前記移動通信ネットワークは、少なくとも１つのユーザ機器デバイスに同期して同一データを送信する複数の送信ポイントを有し、それにより単一周波数ネットワークを形成する、
請求項１から７のいずれか一項に記載の方法。
【請求項９】
選択された前記複数の受信ポイントは、前記ユーザ機器デバイスにより送信された共通信号から、前記共通信号の受信している受信ポイントの任意の特定の受信ポイントへの適応なく、前記ユーザ機器デバイスから受信されたデータを受信する、
請求項１に記載の方法。
【請求項１０】
移動通信ネットワークにおけるアップリンクトラフィックを制御するためのネットワーク機器のエンティティであって、前記エンティティは、ユーザ機器デバイスによるデータ送信に従って、前記移動通信ネットワークの複数の受信ポイントから受信品質測定報告を受信し、応答して、前記ユーザ機器デバイスから受信されたデータを転送し、受信品質測定報告を送信すべく前記複数の受信ポイントを構成するように配置され、前記複数の受信ポイントの各々は、前記ユーザ機器デバイスからの送信に関して、次の測定報告及びペイロード報告のうちの少なくとも１つに関する、前記受信品質測定報告に依存する参加動作を示し、異なる受信ポイントは、前記ユーザ機器デバイスからのデータ信号を受信する選択された受信ポイントだけがデータを転送するが、他の受信ポイントは、受信品質報告だけを送信するように異なって構成される、
ネットワーク機器エンティティ。
【請求項１１】
前記エンティティは、選択された受信ポイントが前記ユーザ機器デバイスから受信されたデータをバッファリングするように指示し、コマンドを受け取り次第、前記データだけを転送するように配置される、
請求項１０に記載のネットワーク機器エンティティ。
【請求項１２】
前記エンティティは、前記複数の受信ポイントのうち選択されたものが前記ユーザ機器デバイスから受信されたデータ信号を復号しないように命令するように配置される、
請求項１０又は請求項１１に記載のネットワーク機器エンティティ。
【請求項１３】
ユーザ機器デバイスからデータ信号を受信し、受信された前記データ信号の受信品質を測定するように配置される移動通信ネットワークの受信ポイントであって、前記受信ポイントは、アップリンク制御エンティティに受信品質測定報告を送信し、前記ユーザ機器デバイスからの送信に関して次の測定報告及びペイロード報告のうちの少なくとも１つに関して、前記受信品質測定報告に依存する参加動作を実装すべく、前記アップリンク制御エンティティから構成メッセージを受信するようにさらに配置され、前記構成メッセージは、前記ユーザ機器デバイスから受信されたデータの受信品質測定報告を、前記データを除いて送信するように前記受信ポイントに命令し得る、
移動通信ネットワークの受信ポイント。
【請求項１４】
前記受信ポイントは、前記データ信号の前記受信ポイントに対する特定の適応なく、前記ユーザ機器デバイスにより送信される共通信号から前記データ信号を受信する、
請求項１３に記載の移動通信ネットワークの受信ポイント。
【請求項１５】
前記受信ポイントは、前記アップリンク制御エンティティからコマンドを受け取り次第、前記ユーザ機器デバイスから受信された前記データをバッファリングし、前記アップリンク制御エンティティからさらなるコマンドを受け取り次第、そのようなデータだけを転送するように配置される、
請求項１３に記載の移動通信ネットワークの受信ポイント。
【請求項１６】
複数の送信ポイント及び複数の受信ポイントと、アップリンク制御エンティティを有するネットワーク機器とを備える移動通信ネットワークであって、前記複数の受信ポイントはそれぞれ、ユーザ機器デバイスから受信されたデータに応答して前記アップリンク制御エンティティに受信品質測定報告を送信するように配置され、前記アップリンク制御エンティティは、前記ユーザ機器デバイスからの送信に関する次の測定報告及びペイロード報告のうちの少なくとも１つに関して参加動作を示すべくその受信ポイントから受信された前記受信品質測定報告に応答して各々の受信ポイントを構成するように配置され、前記参加動作は、前記複数の受信ポイントのうち選択されたものが前記ユーザ機器デバイスから受信されたデータを転送し、他の受信ポイントがさらなる受信品質測定報告だけを送信するように、前記受信品質測定報告に依存する、
移動通信ネットワーク。
【請求項１７】
受信ポイントは、前記アップリンク制御エンティティからの対応する構成メッセージを受け取り次第、前記ユーザ機器デバイスから受信されたデータをバッファリングし、前記アップリンク制御エンティティからの対応するコマンドを受け取り次第、前記データだけを転送するように配置される、
請求項１６に記載の移動通信ネットワーク。
【請求項１８】
多様な前記複数の送信ポイントが、前記ユーザ機器デバイスに同期して同一データを送信し、それにより単一周波数ネットワークを形成する、
請求項１６に記載の移動通信ネットワーク。
【発明の詳細な説明】
【技術分野】
【０００１】
本発明は、移動通信ネットワークにおいて送信及び受信ポイントの制御に関する。
【０００２】
例えば、ＵＭＴＳのノードＢ、ＬＴＥのｅｖｏｌｖｅｄ  ＮｏｄｅＢ（ｅＮＢ）、ＷｉＦｉのアクセスポイント（ＡＰ）などの異なる規格に従って動作する移動通信ネットワークの基地局のために、異なる名称が使用されている。また、異なる名称は、基地局が通常の基地局と比較して異なる機能セットを有する場合に使用され、例えば、「リモート無線ヘッド」、「リピータ」、「ホーム（ｅ）ＮＢ」又は「スモールセル」等がある。本発明の文脈において、これらの異なるタイプの基地局は一般に、ダウンリンク（タワーからハンドセット）が関係する場合に「送信ポイント」と呼ばれ、アップリンク（ハンドセットからタワー）が関係する場合に「受信ポイント」と呼ばれる。
【０００３】
これらの送信ポイントは、単一周波数ネットワーク（ＳＦＮ）を構築すべく配置され得、従って、モバイルデバイスに対して１つの単一セルとして現れ得る。また、送信ポイントは、ＵＥが次に移動するように予想されるエリアを包含すべく、ＵＥの移動に従って、特定のモバイルデバイス（ユーザ機器、ＵＥ）に現在データを送信している送信ポイントのセットに追加され、それから除去され、すなわち、特定のＵＥへの送信に関して、ＵＥの移動に従って、一部の送信ポイントはスイッチがオンにされ、一部の送信ポイントはスイッチがオフにされる。いかなるＵＥにも送信する送信ポイントの必要がない場合、それはまた、全体にスイッチがオフにされ（パワーダウンされ、スタンバイとなり）得る。
【０００４】
本発明の文脈において、用語ＳＦＮは、より大きい拡張エリアを通常包含する同期して動作する送信／受信ポイントのセットとして理解され得るが、このより大きいセット（いわゆるＳＦＮクラスタ）からの送信／受信ポイントのサブセットとしても理解され得る。
【０００５】
本発明は、送信ポイントがＳＦＮを構築すべく、セットアップされる送信及び受信ポイントのネットワークにおいて、特に有用であり得る。しかしながら、本発明は、送信ポイントが通常、個別のセルとして送信ポイントが非同期で送信する、又はモバイルデバイスに対して個別のセルとして現れるネットワークにおいても有益である。
【０００６】
本発明は、ＵＥ特定のＵＬルーティングに参加すべく、複数の受信ポイント及び動的に制御する受信ポイントからネットワークのアップリンク（ＵＬ）トラフィックを効率よく収集するネットワークノードの相互作用に関する。
【０００７】
既知のモバイルネットワークにおいて、ＵＥの通信リンクの効率又はデータ速度を向上すべく、ネットワークにおける複数の送信及び／又は受信ポイントを使用する技術が配備されている。
【０００８】
ＵＭＴＳ（３Ｇ、ＣＤＭＡベース）において、ソフトハンドオーバー（ＳＨＯ）が特定され、そこで、単一のＵＥは、異なる基地局に対する複数のリンクを維持し、ＵＬにおいてこれらの基地局に個別にデータを送信する。当該リンクは、ネットワークにより明示的に確立され、ＵＥは、リンクごとに個別にデータを符号化し、参加している全ての基地局は、データの単一のＵＬデータストリームへの組み合わせのために無線ネットワークコントローラに受信データを転送する。
【０００９】
ＬＴＥにおいて、単一のＵＥが、複数の基地局に同時にデータを配信する（及び、複数の基地局からデータを受信する）のを可能にする二重接続性の概念がある。ＵＥは、セルの各々が基地局に異なるデータを送信するように構成される別個の無線リソースを使用する。関与するあらゆる基地局は、ネットワークに対してさらに受信データを転送するが、受信する基地局のグループから機能を転送する動的な選択は、既知ではない。
【００１０】
ＬＴＥの他の概念は、単一のＵＥが異なるキャリア（すなわち、異なる周波数）で並列に、又は異なるセルに対してデータを送信するキャリアアグリゲーション及び多地点協調（ＣｏＭＰ）であるが、両方の場合において、受信ポイントは共同設置されており（同じｅＮｏｄｅＢに）、その結果、いかなる種類のバックホール調整も陳腐化している。
【００１１】
米国特許出願公開第２０１３／００８９０３４Ａ１号明細書は、ＵＬのＵＥにサービス提供すべく複数の基地局から１つを選択する方法及び基地局を説明する。ＤＬのＵＥに既にサービス提供している単一の基地局が当該方法を制御し、当該方法は、ＵＥがＵＬの基準信号を複数の基地局に送信することにより関係する。基地局は、信号を受信及び解読（復号）し、ＵＬのＵＥにサービス提供すべく、１つの基地局の選択のために制御する基地局に受信信号強度を送信する。当該選択が固定され、選択された基地局がＵＥにサービス提供する。
【００１２】
当該出願は、現在最善の基地局の動的な（繰り返し）選択、並びにＵＥにサービス提供すべき複数の基地局の選択を説明していない。また、選択された基地局は、もっぱらＵＬデータの転送を担当し、従って当該基地局がＵＬ送信に対して有し得る異なる関与についての言及はない。
【００１３】
国際公開第２０１２／０９５７５９号は、協調基地局及びサービング基地局により受信されたＵＬデータトラフィックを軟出力値及び確信度値の復号処理を考慮して組み合わせるための協調基地局及びサービング基地局の方法を説明する。協調基地局は、軟出力値及び確信度値として受信されたＵＬデータをサービング基地局に送信し、サービング基地局は、それ自身が受信したＵＬデータを対応する値と組み合わせる。
【００１４】
当該出願は、動的な構成技術を説明していない。異なる基地局からのデータ組み合わせが、説明されている。当該原理は、ソフトハンドオーバーのためのＵＭＴＳにおいて同様に既に使用されている。
【００１５】
米国特許出願公開第２００６／０２８６９９６号明細書は、基地局の候補セットからＵＬのためにＵＥをサービス提供する基地局を選択するための方法を提案する。選択は、基地局のＵＬ受信に基づきＵＥにより行われ、ＵＬ受信は、基地局から受信された電力制御コマンド、基地局から受信されたＨＡＲＱフィードバック又はＤＬの送信電力からＵＥにより推定され得る。ＵＥは、（候補基地局ごとに１つ）専用制御チャネル上に信号を送信する、又はＵＥは、１つの共通制御チャネル上へと専用信号を多重化する。とにかく、基地局特定の信号が送信され、ＵＥが基地局に明示的にアドレスするように構成される。
【００１６】
当該出願は、同じ（基地局特定ではない）信号を受信し、測定する（データ転送基地局である）複数の「サービング」基地局の選択のためにネットワークの中央装置にそれらの測定を提供する複数の基地局を説明していない。
【００１７】
米国特許出願公開第２００２／０１１８６６５号明細書は、ＵＥにおける電力調整の組み合わせ及び必要の決定のために、ＵＬのＵＥから送信される信号が複数の基地局（１つの対象及び複数の非対象）により受信され、複数の非対象基地局から対象基地局に転送されるシステム及び方法を説明する。非対象基地局は、ＵＥにより送信されたＵＬ信号を復号すべく、ＵＥ特定のコードパターンを受信している。当該出願は、データ転送する基地局の関与レベルを超えて様々な関与レベルを可能にする参加する（非対象）基地局のための異なる役割を説明しておらず、そのことは、当該特許に説明される非対象基地局の動作だけである。基地局は、チャネルコンディションが変化する場合に、データを転送、格納若しくは転送しないように動的に構成されておらず、及び／又は潜在的なより高い関与を用意すべく、ＵＬ信号に関する測定に参加するように動的に構成されていない。基地局に格納された特定データの後の転送要求は、言及されていない。ダウンリンク（ＤＬ）データ伝送のために使用されるＳＦＮは、周知である。そのようなＳＦＮは、ＤＬだけの、例えば、ＤＶＢ−Ｔ放送技術であり、いかなるアップリンク（ＵＬ）伝送機能も提供しない。ＵＥからＵＬトラフィックを受信し、ちょうど十分な平行ＵＬデータが受信成功を保証すべく協調エンティティに提供されるように協調される複数の受信ポイントを有するシステムは、目下のところ知られていない。３Ｇ及びＬＴＥシステムのマルチポイント受信概念は、基地局がＵＥのＵＬトラフィックを受信するように構成されるものであり、（適用された場合）そのような全ての基地局は、受信データをデータ組み合わせのために転送することが予想される。ＵＬ信号の基地局特定の適応なく共通のＵＬ信号を使用するＵＥから複数の受信ポイントへのＵＬ送信は、既知の従来技術には開示されておらず、特に、ＵＥのＵＬ信号を測定し、及び／又はそれぞれのデータを転送する受信ポイントの効率のよい選択と組み合わせては開示されていない。そのようなＵＬ信号を受信する全ての受信ポイントによるＵＬトラフィックの協調エンティティに対する永続的な転送は、最善の受信ポイントが動的に変化しているシステムにおいて、特に非効率的であろう。
【００１８】
米国特許出願公開第２０１５／０４９６４９Ａ１明細書は、オフ状態のノードが発見目的で特定の信号を引き続き送信又は受信し得る干渉を減少すべく、ノードはスイッチがオフにされ得るスモールセルネットワークを説明する。ＵＥは、特定のスモールセルノードをオンするように決定し得る協調ネットワークノードに検出された発見信号を報告する。
【００１９】
米国特許出願公開第２０１４／０２０４８７１Ａ１号明細書は、プライマリ基地局、他の基地局及び移動局が、プライマリ基地局に送信されるパイロット信号の測定結果に関する情報と協調して通信するネットワークを説明する。米国特許出願公開第２０１４／０１３３４１５Ａ１明細書は、ノード及びＵＥが複数のセルから受信する、又はそれらに送信するアップリンクのマルチフロー動作を説明する。
【００２０】
本発明は、移動通信ネットワークを制御する方法を提供し、当該方法は、アップリンク制御エンティティを備え、ユーザ機器デバイスによるデータ送信に従って、移動通信ネットワーク内の複数の受信ポイントにより送信される受信品質測定報告に応答して、受信品質測定報告はデータ送信の受信に対応し、複数の受信ポイントの各々が、ユーザ機器デバイスからの送信に関して、次の測定報告及びペイロード報告のうちの少なくとも１つに関する、受信品質測定報告に依存する参加動作を示すように移動通信ネットワーク内に複数の受信ポイントを構成する。
【００２１】
更なる態様において、本発明は、移動通信ネットワークにおけるアップリンクトラフィックを制御するためのネットワーク機器エンティティを提供し、エンティティは、ユーザ機器デバイスによるデータ送信に従って、移動通信ネットワークの複数の受信ポイントから受信品質測定報告を受信し、応答して、ユーザ機器デバイスから受信されたデータを転送し、受信品質測定報告を送信すべく複数の受信ポイントを構成するように配置され、複数の受信ポイントの各々は、ユーザ機器デバイスからの送信に関して、次の測定報告及びペイロード報告のうちの少なくとも１つに関する、受信品質測定報告に依存する参加動作を示すように構成され、異なる受信ポイントは、ユーザ機器デバイスからのデータ信号を受信する選択された受信ポイントだけがデータを転送するが、他の受信ポイントは、受信品質報告だけを送信するように異なって構成される。
【００２２】
更に別の態様において、本発明は、ユーザ機器からデータ信号を受信し、受信信号の受信品質を測定するように配置される移動通信ネットワーク受信ポイントを提供し、受信ポイントは、アップリンク制御エンティティに受信品質測定報告を送信し、ユーザ機器デバイスからの送信に関して次の測定報告及びペイロード報告のうちの少なくとも１つに関して、受信品質測定報告に依存する参加動作を実装すべく、アップリンク制御エンティティから構成メッセージを受信するようにさらに配置され、構成メッセージは、ユーザ機器デバイスから受信されたデータの受信品質測定報告を、データを除いて送信するように受信ポイントに命令し得る。
【００２３】
更に別の態様において、本発明は、複数の送信ポイント及び複数の受信ポイントと、アップリンク制御エンティティを有するネットワーク機器とを備える移動通信ネットワークを提供し、複数の受信ポイントはそれぞれ、ユーザ機器デバイスから受信されたデータに応答してアップリンク制御エンティティに受信品質測定報告を送信するように配置され、アップリンク制御エンティティは、ユーザ機器デバイスからの送信に関する次の測定報告及びペイロード報告のうちの少なくとも１つに関して参加動作を示すべく当該受信ポイントから受信された受信品質測定報告に応答して各々の受信ポイントを構成するように配置され、参加動作は、複数の受信ポイントのうち選択されたものがユーザ機器デバイスから受信されたデータを転送し、他の受信ポイントがさらなる受信品質測定報告だけを送信するように、受信品質測定報告に依存する。
【００２４】
本発明の好ましい態様は、従属請求項により提供される。
【図面の簡単な説明】
【００２５】
ここで、本発明の好ましい実施形態は、添付図面を参照して例としてだけ説明される。
【図１】ネットワークの概略図を示す。
【図２】図１のネットワークの別の図を示す。
【図３】図１のネットワークにおいて交換されたメッセージのメッセージシーケンスチャートである。
【発明を実施するための形態】
【００２６】
図１を参照すると、ＵＥからの様々な距離で５つの基地局又は５つの受信ポイントＲＰ１〜ＲＰ５と共にＵＥの概略図が示される。２つの受信ポイント、ＲＰ２及びＲＰ３は、内側区域２０内のＵＥに最も近くに配置される。ＲＰ１は、隣接区域、区域２２に配置され、ＲＰ４及びＲＰ５はそれぞれ、より遠い区域、区域２４及び区域２６に配置される。
【００２７】
本発明において、様々な受信ポイントＲＰ１〜ＲＰ５は、ＵＥから受信されたデータに応答して様々な機能を提供すべく、コントローラ（図示せず）により構成される。
【００２８】
概して、受信ポイントのグループは、ＵＥの位置周辺のＵＥの受信及び制御にアクティブに関与するものと定義される。その結果として、他の受信ポイント、例えば、受信ポイントＲＰ６及びＲＰ７は、たとえそれらが無線範囲内にあってＵＥのネットワーク性能を低下する可能性がないとしても、ＵＥとの通信に関与しないような態様で制御される。
【００２９】
本発明を使用すれば、ＵＥ移動に追従する、又はチャネルコンディションの変化に適応すべく、受信ポイントのグループを動的に再定義することが可能である。本発明は、ＵＥの受信及び制御において受信ポイントの様々な関与レベルを定義し、その結果、受信ポイントの内側コア、区域２０は、ＵＬ信号の定期的な測定から条件付きの測定にわたって、関与がバッファリングから低下するグループの端部の方に、実際にデータを受信及び転送する。定義されたグループの端部３０（中心としての特定のＵＥから見た）は、ＵＥと共に移動するためのグループを用意すべく定義される。これは、図１に示されている。ＵＥの受信及び制御に関与されるべく定義される受信ポイントのグループは、以下に受信クラスタと表される。
【００３０】
上記は、本発明の簡略化した考えを提供する。ＵＥは、ＵＥの実際の地理的位置を報告してこの情報を使用し得、又は、受信ポイントは、ＵＥの実際の地理的位置を検出してこの情報を使用し得、受信ポイントの既知の位置と共に、ＵＥのＵＬ受信に関与される受信ポイントを構成し得る。
【００３１】
図１に示される配置は、図２とは異なる形態で再生される。図２は、５つの受信ポイントＲＰ１〜ＲＰ５と通信するコントローラ３２を示す（受信ポイントＲＰ６及びＲＰ７は、明瞭化のため図２に示されていない）。ＵＥは、ＵＥから受信ポイントの各々に至るそれぞれの点線に隣接する値により示されるように、様々な信号強度で受信ポイントにより受信されるデータを送信する。ＵＥに最も近い受信ポイントで受信された信号強度は、より距離のある受信ポイントにより受信される信号強度より高い。
【００３２】
コントローラ３２は、指定された態様で特定のＵＥのアップリンクに対して動作すべく、受信ポイントを選択及び構成するように配置されるリソース制御装置（ＲＣＵ）機能エンティティである。
【００３３】
この受信ポイントの動的な選択及び構成は、それぞれの受信クラスタにおける全ての受信ポイントの受信品質に関連したそれぞれの受信ポイントの受信品質（平均／統計）、すなわち、ある受信ポイントがＵＥの信号のＵＬ受信に寄与できる効率に依存する。
【００３４】
当該構成は、ＵＬ制御エンティティが、複数の異なる「参加動作」（又は、役割）を動的に構成するのを可能にする。例として、測定報告及びペイロード転送操作に関して異なる動作で、４つの異なる役割が定義される。各々の特定の受信ポイントは、以下の表に要約されるように（「比較的低いＲｘ品質」から「比較的高いＲｘ品質」に順序付けられ）ＵＬ制御エンティティによりこれらの役割の１つに動的に割り当てられる。
【表１】
2019502289.tif 000003
【００３５】
さらに、本発明の方法は、ＵＬ制御エンティティによる受信クラスタの動作中の特定の受信ポイントの再構成を可能にする。
【００３６】
図２に示されるように、５つの受信ポイントは、異なる受信（ｒｘ）品質でＵＥのＵＬトラフィックを受信する。受信ポイントは、それらのｒｘ品質を報告し、一部はまた、データを転送する。次に、受信ポイントは、報告を送信すべくＵＬ制御エンティティにより構成される。（ｉ）閾値（ＲＰ５、例えば、表１からの役割１）に基づく、（ｉｉ）報告を定期的に送信する（ＲＰ４、必ずしもパケットごとではなく、例えば、役割２）、（ｉｉｉ）受信されたデータをバッファリングするが、転送しない（ＲＰ１、例えば、役割３、他の受信ポイントにおけるｒｘ品質の低下に起因して受信されなかったデータを転送するように後に明示的に要求される）、又は（ｉｖ）データを転送する（ＲＰ２及びＲＰ３、役割４）。
【００３７】
図３は、図２に示されるエンティティに関連するメッセージシーケンスチャートである。両図において、コントローラエンティティは、「ＵＬ制御エンティティ」を表す。１つの実施形態において、それは、ＳＦＮリソース制御装置（ＲＣＵ）に割り当てられ得、その一部であり得る。
【００３８】
図２に示されるように、ＵＥは、初期のデータパケットを送信した後、受信ポイントＲＰ１〜ＲＰ５の各々が受信信号強度値を含む受信品質報告をコントローラに送信する。また、ＲＰＳ、ＲＰ２及びＲＰ３は転送データを含む。品質報告に応答して、コントローラはそれぞれの受信ポイントに個別の制御メッセージを送信する。
【００３９】
ＲＰ５は、５ｄＢの閾値を示すメッセージで条件付き報告を実行するように要求される。従って、ＲＰ５は、受信信号がこの閾値を超えた場合に品質報告を送信するだけとなる。
【００４０】
ＲＰ４は、定期的な報告を実行するように要求されるが、ＲＰ３及びＲＰ２は、定期的なデータ報告を実行するように要求される。ＲＰ１は、データバッファリングを実行するように要求される。
【００４１】
図３に示されるように、ＵＥによる次のデータパケットの送信後に、ＲＰ５は、受信信号強度が低すぎるので品質報告を送信しない。ＲＰ４は、受信信号強度の度合いを送信する。ＲＰ２及びＲＰ３の両方が、信号強度の度合いを送信するが、受信データの破損に起因して、両方がデータを転送することができず、メッセージ中のデータをＳＦＮコントローラに示すことができない。ＲＰ１は、受信信号強度の度合いと共に品質報告を送信する。
【００４２】
ＲＰ２及びＲＰ３からのデータ破損インジケーションに応答して、ＳＦＮコントローラは、データ識別子（図３に「２」、すなわち第２データパケットとして示される）でＲＰ１に明示的なデータ転送要求を送信する。ＲＰ１は、ＲＰ１で成功裏に復号されたバッファデータを送信することにより応答する。
【００４３】
本発明は、単一のＵＥに関して異なる動作を実行すべく、受信ポイントを指図／構成し得るネットワーク機能を提供する。言い換えれば、ＵＬ制御エンティティは、受信クラスタの各受信ポイントに、複数の受信ポイントへの複数の経路を経由する個別のＵＥのアップリンクデータ伝送の統合に寄与すべく完全に適合される「参加動作」（又は、役割、例えば、上記リストからの１つ）を割り当て得る。
【００４４】
本発明は、ＵＬ制御エンティティにおいて、品質報告（例えば、上記のような受信信号品質報告）、及び／又は復号結果（例えば、上記のような成功／不成功の形式で）、及び／又はデータ組み合わせの成功（ＵＬデータ統合プロセスに関する）に基づき、ｒｘ品質報告モード（オン／オフ／条件付き）とペイロード転送モード（オン／オフ／条件付き）との間の変更を提供する。１つの受信ポイントの「参加動作」（又は、役割）の変更は、複数の他の受信ポイントに依存する。１つの受信ポイントのｒｘ品質が良好である場合、他の全てのポイントは受信を停止し（エネルギーを節約すべく）、単に品質を測定し得る。多くの受信ポイントがｒｘ品質を制限している場合、ＵＬ制御エンティティは、データ組み合わせの成功の可能性を高め、ジャンプインに対するバックアップとして十分な他の受信ポイントを確保すべく、十分な受信ポイントのセットを選択することができる。十分な報告は、「参加動作」の再構成により関与される受信ポイントが適時に適応することを可能にする。
【００４５】
説明された方法はまた、受信ポイントの受信クラスタへの包含及びそれからの削除を引き起こし得る。特定のＵＥに関して、又はＵＥの大多数に関して、受信クラスタの端部に向かう移動が、測定報告から検出され得る。これにより、当該端部付近の受信ポイントを受信クラスタに包含することになり得る。同じ測定により、他の受信ポイントを受信クラスタから除去することになり得る。新たな受信ポイントは、受信クラスタの他の受信ポイントに対して本明細書に説明されるように構成され得る。受信ポイントからＵＬ制御エンティティに送信された測定報告は、ＵＥからＵＬ制御エンティティに送信された測定報告、すなわち、ＵＥによりＤＬ信号に対して実行される既知の測定と組み合わせて使用され得、ＵＬ方向に報告され得る。
【００４６】
同様に、受信クラスタの内部又は外部の受信ポイントからのｒｘ品質報告と併用したレガシー測定報告（すなわち、ＵＥによりＤＬ信号に対して実行される測定）は、例えば、ＵＥが現在それの一部ではない受信クラスタにより非常にうまくサービス提供され得ることが検出された場合、ＵＥが、受信クラスタによりサービス提供されるべきか、又は提供されるべきでないかを決定するために使用され得る。その一方で、受信クラスタによるＵＥのサービス提供は、非効率的となり得、別の受信クラスタ又は単一受信ポイント（ＢＳ）は、ＵＥにより効率よくサービス提供し得、それにより、ＵＥは、現在の受信クラスタによるサービス提供から除去される。
【００４７】
副作用として、一部の受信ポイントは、エネルギーを節約すべくフルデータを受信する必要なく、ＵＥ信号だけを検出してｒｘ品質を測定することが可能である。当該目的で、リソースグリッド（周波数／時間）におけるＵＬ基準信号の位置は、例えば、ＵＬ制御エンティティにより、例えば、ネットワーク放送モードにおいて、全ての受信ポイントに送信され得る。そのような基準信号は周知であり、ＬＴＥのようなシステムにおいて、ＤＭＲＳ（復調基準信号）及びＬＴＥ−ＵＬのＳＲＳ（サウンディング基準信号）から成り得る。特定のＵＥのｒｘ品質を測定しさえすればよい受信ポイントは、アップリンク方向において予想される基準信号を受信するようにその受信手段を構成し、実データ搬送リソースのためにその受信手段をパワーダウンするであろう。同様に、ＵＥのＵＬ信号を受信も測定もしないように現在構成されている受信ポイントは、構成された完全なＵＥのＵＬリソース（データ及び基準信号）のためのその受信手段の電源を切ることによりエネルギーを節約するであろう。
【００４８】
結果として、ＵＬ制御エンティティにより収集された情報はまた、受信クラスタにおいて少なくとも有意数のＵＥの受信における受信ポイントの重要性に基づき、受信ポイントをまとめてスイッチをオフにする決定に至るであろう。
【００４９】
さらに、本発明の方法は、ＵＬ制御エンティティによる受信クラスタの動作中に特定の受信ポイントの再構成を可能にする。
【００５０】
本発明において、ＵＬ制御エンティティは、特定ＵＥの受信ポイントの「参加動作」のタイプ（又は、役割、例えば、上記のリストの１つ）を動的に選択する。同じ受信ポイントによりサービス提供される他のＵＥに対して、「参加動作」（又は役割）は異なるように構成され得る。この決定は、全ての受信ポイントからの個別のｒｘ品質測定に基づきＵＬ制御エンティティによりなされる。ＵＬ制御エンティティにおいて、受信クラスタの動作中の特定のＵＥの「参加動作」（又は、役割）の動的な再構成は、例えば、様々な受信ポイントから受信されたｒｘ品質報告に基づき実行される。
【００５１】
ＵＬ制御エンティティは、転送中の受信ポイントからデータパケットを受信し、データと共に報告されるｒｘ品質を考慮する成功裏に受信した単一のＵＬデータストリームを保証すべくデータを統合する。必要ならば、ＵＬ制御エンティティは、受信ポイントからのバッファデータパケットの転送を要求し、必要ならば、受信ポイントにより格納データパケットの削除を開始する。
【００５２】
受信ポイントは、特定のＵＥのデータ受信のために構成（及び動作中の再構成）を受信する。そのように構成された場合、受信ポイントは、ＵＥのＵＬリソース（時間周波数グリッド）にデータを受信しないので、エネルギーを節約する。
【００５３】
そのように構成された場合、受信ポイントは、ＵＥのＵＬ信号を測定及び報告し、報告のために構成されたコンディションを検証する。そのように構成された場合、受信ポイントは、データを受信し、データを符号化し、データを転送又は格納し、復号結果を報告する。要求された場合、受信ポイントは、格納されたデータを転送及び／又は削除する。
【００５４】
異なる受信ポイントで同じ（変更がない）データストリームを受信する複数の基地局で説明されるシステムは、その段階が知られていない。
【００５５】
上記において、ＵＬ制御エンティティは、受信ポイントからの測定報告の単一受信ポイント、及び実際に転送されたデータ（ペイロード）として言及されている。ネットワーク機能を制御プレーン（ｃ−プレーン）により実行される制御機能及びユーザデータプレーン（ｕ−プレーン）による実データ経路内の機能に分割することは、ＬＴＥのような最新のモバイルネットワークにおいては普通である。ネットワークエンティティは通常、プレーンの両方ではないが、いずれかの機能を有する。リアルライブの配備において、ネットワークオペレータは次に、単一のハードウェア（サーバ）に両方のエンティティを配備するように決定し得、又はそれらはｃ−／ｕ−プレーンモデルのように距離を保持する。
【００５６】
本発明にマッピングされているが、通常のモデルは、言及された全ての制御機能（受信ポイントの構成、・・・）のためのＵＬ制御エンティティと、転送されたデータトラフィックを受信及び組み合わせた別個のＵＬユーザプレーンエンティティとを有するように要求するであろう。本発明では何らそのような機能分割を拒むはずはなく、そのことは、システムにとって有益でさえあり得る。単に説明のしやすさ及び読みやすさのために、当方では、ｃ−及びｕ−プレーン機能の両方のために用語「ＵＬ制御エンティティ」を使用する。
【００５７】
本発明は、必要に応じて、データが転送されるだけであるように、複数の受信ポイントとＵＬ制御エンティティとの間のインターフェース上のデータ交換量を減少させるので有益である。さらに、本発明は、信頼性のあるＵＬ動作が他の受信ポイントにより許可された場合、受信ポイントはスイッチがオフにされ得る、又は減少されたタスクセットを実行するように構成され得るので、エネルギー消費量を減少する。本発明に従って、様々な受信ポイントからＵＬ制御エンティティに測定報告（上記に定義されるようなｒｘ品質報告）を定期的に送信する周波数は、特定されるイベント（１つ又は複数のパケットの受信／検出、信号の検出、割り当てられたリソースに有意な信号の検出がないこと）の発生に応じて変わり得、又は固定され得る。それは、受信ポイントが、「パケットごと」、又は「データ量ごと」、又は「複数のパケットごと」のベースで報告するように設定され得る。それは、絶対周波数であり得、例えば、１秒ごとに、１００ミリ秒ごとに、又は１０秒ごとに１つの報告であり得る。様々な受信ポイントにより収集されたｒｘ品質報告は、設定可能な期間にわたって算出される平均値を含み得る。
【００５８】
条件付きのｒｘ品質報告を送信するためのコンディションはまた、上記のような時間態様（最大又は最小周波数）を含み得る。別な方法で、又は加えて、コンディションは、ｒｘ品質、測定される干渉レベル、受信ポイントとＵＥとの間で推定されるチャネルコンディション、及び／又はＵＥが使用するように構成されるサービスの優先順位に基づき得、これらのパラメータごとに、コンディションは、一度又は特定された期間、予め定義された閾値を超える、それと一致する、又はそれを受ける（ｕｎｄｅｒｇｏ）ことを含み得る。
【００５９】
ｒｘ品質報告は、ｒｘ信号強度、ｒｘ信号強度の測定された干渉に対する関係（信号対干渉及び雑音比、ＳＩＮＲ）、チャネルコンディション（測定及び算出された）、復号結果（成功／不成功、エラー数）、データパケット長又は同様なパラメータを含み得る。１つの実施形態において、受信ポイントは、これらの値の少なくとも１つから、統合された「ＵＬチャネル信頼性インジケータ」（ＵＥごとの）を算出し得る。そうすることで、ＵＬ制御エンティティは、ある受信ポイント（構成に応じた）からこの「ＵＬチャネル信頼性インジケータ」のリストを受信し得るだけで、それにより、コアネットワークのトラフィックをさらに一層低減し得る。明示的要求を受信した後に後の送信のためのデータのバッファリングが、受信ポイントのメモリにおいて、又は受信ポイントと関連付けられたメモリにおいて行われる。データの削除は、ＵＬ制御エンティティが配信（再送信）を要求するのに十分な時間を有するように受信後の特定の時間に行われ得る。それはまた、ある数のパケット又はデータ量の受信後に行われ得、あるいはＵＬ制御エンティティからのメッセージは、削除を明示的に要求し得る。後者のメッセージは、全ての受信ポイントに対してＵＬ制御エンティティによりネットワーク上にブロードキャストされ得、削除を要求するためにネットワーク上に使用されるデータ負荷を減少すべく、複数のバッファデータユニットの削除を要求し得る。受信ポイントによるデータユニットの受信不成功（復号不成功）の場合、データユニットは、ＵＬ制御エンティティにおける復号成功を可能にすべく、要求時にバッファリング及び配信されてよく、又はそれは、バッファリングされなくてもよい。ＵＬ制御エンティティがバッファリングされていないデータ配信を要求する場合、当該要求は失敗メッセージで回答されてよく、全く回答されなくてもよく、又は、ＵＬ制御エンティティは、データをバッファリングしていない受信ポイントがリスト上の次の受信ポイントに配信要求を転送するように、代わりの受信ポイントのリストを送信してよい。リスト上の受信ポイントの数に基づき、又は時間に基づき、要求の転送は停止してよく、失敗メッセージは、最初のメッセージに対する参照を含む最後に関与された受信ポイントにより送信されてよい。
【００６０】
本発明は、異なる性質の様々なネットワーク環境において有益に配備され得るが、単一周波数ネットワーク（ＳＦＮ）の配備が本発明の最良の形態を明らかにし得る。ＳＦＮにおいては、通常、複数の送信ポイントが同期して同一データを送信し、その結果、個別の送信ポイントは、受信ＵＥにより区別され得ない。ネットワークのＳＦＮ性は、主としてＤＬの特性を説明するが、ＳＦＮは、ＵＬ信号の受信ポイントを区別する必要なく、複数の受信ポイントによるＵＬデータの受信を可能にするＵＬと非常に相性が良い。
【００６１】
本発明に説明される受信クラスタは、ＳＦＮに配備された場合、説明された受信ポイントに加えて、１又は複数のＵＥにデータを同期して送信する複数の送信ポイントをも含むＳＦＮクラスタの一部であってよい。これらの送信ポイントは、それぞれの受信ポイントと共同設置されてよく、又は共同設置されなくてもよく、受信ポイントをＳＦＮクラスタに付加する、又はそれから除去する動作は、それぞれの送信ポイントをＳＦＮクラスタに付加する、又はそれから除去する動作を含み得る。
【００６２】
ＳＦＮに配備された場合、本発明に説明されるコントローラ３２は、単一又は複数のＵＥのＵＬデータの転送における受信ポイントの参加及び関与を制御するＳＦＮコントローラの一部であり得る。また、ＳＦＮコントローラは、例えば、ＳＦＮによりサービス提供される単一又は複数のＵＥへのＤＬデータ伝送における送信ポイントの参加及び関与の制御として他の機能を有する。
【図１】
2019502289.tif 000004
【図２】
2019502289.tif 000005
【図３】
2019502289.tif 000006
【国際調査報告】
2019502289.tif 000007
2019502289.tif 000008
2019502289.tif 000009